(57)【特許請求の範囲】
【請求項１】
振動発生装置を内蔵した歯科用ハンドピースに装着して使用され、前記振動発生装置で発生させた振動を歯を清掃し又は磨くべくブラシに伝達するための金属製のブラシホルダー、を製造する方法であって：
前記ブラシホルダーは、前記振動発生装置に振動伝達関係で連結可能な近位端と、前記ブラシを交換可能に支持するようになった遠位端と、前記近位端から遠位端へと振動を伝達するべく両者を連結する細長い振動伝達部材、とを備え；前記振動伝達部材は、前記近位端から当該近位端とほぼ同軸的に延長する第１区間と、前記第１区間の前端から当該第１区間に対して第１の角度で斜め前上方に延長する第２区間、とで形成された湾曲部を備え；前記遠位端は前記第１区間と第２区間とを含む平面と同一の平面内にあるが、前記遠位端と第１区間とは第２区間の軸線に関して互いに反対方向に延長しており；
前記方法の特徴は、
前記湾曲部は前記振動伝達部材の曲げ加工によって形成し；
前記遠位端は、前記同一の平面内において前記第２区間の前端から第２区間の軸線に対して前記第１の角度より大きな第２の角度で外向きに延長するべく、かつ、第２区間の前端との間にアールを介在させることなく第２区間の前端に直接に隣接するべく、ブラシホルダー形成用素材を切削加工することによって形成することからなる、歯科用ハンドピースのブラシホルダーの製造方法。
【請求項２】
前記遠位端の軸線が第２区間の軸線に対してなす前記第２の角度は７０°〜１１０°、好ましくは８５°〜９５°、より好ましくはほぼ９０°、であることを特徴とする請求項１に基づくブラシホルダーの製造方法。
【請求項３】
遠位端の前記切削加工は数値制御フライス盤を用いて行なうことを特徴とする請求項１又は２に基づくブラシホルダーの製造方法。
【請求項４】
前記ブラシホルダー形成用素材の前部はブラシホルダーの前記遠位端の外形を包摂する形状およびサイズを有する金属塊を備え、前記遠位端は前記金属塊を削り出すことによって形成することを特徴とする請求項１から３のいずれかに基づくブラシホルダーの製造方法。
【請求項５】
ブラシホルダーの前記近位端および振動伝達部材は、前記金属塊のフライス削りにより前記遠位端を形成した後に、ブラシホルダー形成用素材をその軸線を中心として回転させながら旋盤加工することにより形成することを特徴とする請求項４に基づくブラシホルダーの製造方法。
【請求項６】
前記旋盤加工の後に、ブラシホルダー形成用素材の軸線に沿って前記近位端および振動伝達部材の全長にわたり洗浄水供給通路を形成すると共に、前記遠位端に前記洗浄水供給通路に連通するブラシ装着用ネジ孔を形成することを特徴とする請求項５に基づくブラシホルダーの製造方法。
【請求項７】
振動伝達部材に前記洗浄水供給通路を形成した後に前記湾曲部の曲げ加工を行なうことを特徴とする請求項６に基づくブラシホルダーの製造方法。
【発明の詳細な説明】
【技術分野】
【０００１】
本発明は、振動発生装置を内蔵した歯科用振動式ハンドピースに取付けて使用され、振動発生装置で発生させた振動をブラシに伝達して歯を清掃し又は磨くためのブラシホルダー、を製造する方法に関する。
【背景技術】
【０００２】
歯科用ハンドピースに内蔵された空気動式の振動発生装置の構成および作動原理は、例えば、米国特許Re.29,687号（Sertich）や、本出願人の米国特許4,453,919号から知られている。前者には圧縮空気ジェットにより回転駆動されるスリーブを備えたタイプの振動発生装置が開示してあり、後者には同じく圧縮空気ジェットにより揺動駆動される円盤を備えたタイプの振動発生装置が開示されている。
これらの振動発生装置で発生された振動は細長い振動伝達部材を介してハンドピースに装着されたスケーラーのような歯科用工具に伝達され、例えば米国特許4,427,384号（Sertich）の図４に示されているように振動の節（ノード）と振動のピークとを有する正弦波状の定常波を振動伝達部材に生起させる。歯科用工具が例えばスケーラー（歯石除去具）の場合には、スケーラーの先端は振動のピークに位置するように設定してあり、振動によりスケーラーの先端が楕円運動をしながら歯牙に作用することにより歯石が除去される。
【０００３】
この種の歯科用振動式ハンドピースを用いて歯を清掃し又は磨く場合には、従来、添付図１に示したような先端部にブラシが取り付けられる金属製のブラシホルダーがハンドピースに装着して使用されている。
図１を参照するに、従来のブラシホルダー１は、ハンドピース２に内蔵された振動発生装置３の出力軸４に螺合等により連結される近位端５と、ブラシを螺合等により交換自在に装着することの可能な遠位端６と、ホルダー１の近位端５から遠位端６へと振動を伝達する細長い金属製の振動伝達部材８とを備えている。遠位端６には雌ネジ孔（図示せず）が設けてあり、この雌ネジ孔にブラシ７の雄ネジ（図示せず）を螺合することによりブラシ７が着脱可能に取付けられる。
【０００４】
従来のブラシホルダーは、予め準備された真っ直ぐなブラシホルダー形成用素材を、図１に示したように近位端５に近い第１の湾曲部８Ａと遠位端６に近い第２の湾曲部８Ｂとの二箇所で互い違いに“く”の字形に曲げることにより形成されている。
なお、図１には示さないが、ブラシホルダーにはその全長にわたってハンドピースの洗浄水供給通路からブラシへと洗浄水を供給するための内部通路が形成してあり、この内部通路は前記曲げ加工に先立って加工しておくのが一般的である。従って、曲げ加工の際には、湾曲部のところで内部回路の閉塞や素材が圧潰しないように注意しなければならない。
【０００５】
ブラシホルダーは、例えば患者の奥歯のような口腔内の奥まった歯を清掃するような場合でも、図１に示したように、ブラシ７の先端が歯科医や歯科衛生士のような施術者から視て歯の裏側にまで充分に廻り込んで届くように設計することが望ましい。更に、ブラシ７は、奥歯などの場合でも図１に示したように歯面に対してなるべく垂直に当てることが出来ることが望ましい。これらの要望に応えるため、従来、第２湾曲部８Ｂは、出来るだけ大きな曲げ角度で曲げてある。
これに対して、第１の湾曲部８Ａは、清掃したい部位に施術者がブラシを位置決めしながらブラシを操作するのを容易にするためブラシホルダーの遠位端６（ひいてはブラシ７の先端）をハンドピースの軸線２Ａに出来るだけ近づける役割を果たすので、第１湾曲部８Ａと第２湾曲部８Ｂと遠位端６とを含む平面と同一の平面内において第２湾曲部８Ｂとは逆の方向に（即ち、互い違いの方向に）、かつ、第２湾曲部８Ｂよりも小さな曲げ角度で曲げてある。
【発明の概要】
【発明が解決しようとする課題】
【０００６】
従来のブラシホルダーの問題点は、段落０００５で述べた理由により第２湾曲部８Ｂの曲げ角度（即ち、塑性変形量）を大きくしなければならないので、曲げ加工の応力が第２湾曲部８Ｂの頂点領域にかなり残留するということである。このような残留応力があるので、米国特許4,427,384号の図４を参照しながら前述した定常波の振動の節（ノード）が第２湾曲部８Ｂの頂部に来るように設定すると、振動の応力が第２湾曲部８Ｂの頂部に集中することによりこの領域の材料が早期に金属疲労を起こし、第２湾曲部８Ｂのところでブラシホルダーが破折することがある。ブラシホルダーの破片が口腔内に飛散すると、飲み込んだり、破折面で口腔内を傷付けたりして患者に危害を加える可能性があり、また発見と回収が困難であるので、湾曲部における破折を回避することは絶対的要請である。
【０００７】
図１に示したような従来のブラシホルダーの他の問題点は、第２湾曲部８Ｂの曲げ加工の角度を大きくしても第２湾曲部８Ｂの材料に内部回路の閉塞や圧潰や割れが生じないようにしなければならないという塑性加工上の要請から、第２湾曲部８Ｂの曲率半径は充分大きくする必要があるということである。
しかしながら、このように第２湾曲部８Ｂの曲率半径を大きくすると、第２湾曲部８Ｂの頂点からブラシ先端までの距離Ｌ（図１参照）が長くなるので、狭い口腔内でのブラシの操作性が悪化し、ハンドピースの使い勝手が悪くなるという難点がある。しかも、所定長さのブラシ取付け用雌ネジ孔が形成された遠位端６は、曲げ加工に付すことはできないので、遠位端６の後端と第２湾曲部８Ｂの始点との間にはほぼ四分円相当のＲ（アール。丸み）８Ｃを不可避的に設けなければならず、それ故に従来のブラシホルダーにおいては距離Ｌの短縮は困難である。
【０００８】
従来技術のブラシホルダーの更に他の問題点は、一般に曲げ加工においては外力を解除した時に素材の弾性により大なり小なりスプリングバックが生じるのであるが、第２湾曲部は前述したように大きな角度で曲げなければならないのでスプリングバックも顕著になり、製品毎に曲げ加工の程度にかなりのバラツキが発生するということである。このため、製品の品質管理が困難である。
【０００９】
本発明の目的は、従来技術の叙上の問題点を解消することの可能なブラシホルダーを提供することにある。
本発明の他の目的は、金属加工の残留応力が少なく、振動エネルギが印可されても早期に金属疲労を起こすことのないブラシホルダーを提供することにある。
本発明の更に他の目的は、狭い口腔内でも使い勝手の良い操作性に優れたコンパクトなブラシホルダーを提供することにある。
本発明の他の目的は、曲げ加工に固有の現象であるスプリングバックが少なく、製品の品質管理の容易なブラシホルダーを提供することにある。
【課題を解決するための手段】
【００１０】
本発明は、新規な方法によって製造された改良されたブラシホルダーを提供するものである。
本発明は、振動発生装置を内蔵した歯科用ハンドピースに装着して使用され、前記振動発生装置で発生させた振動を歯を清掃し又は磨くべくブラシに伝達するための金属製のブラシホルダー、を製造する方法を提供するもので：
このブラシホルダーは、前記振動発生装置に振動伝達関係で連結可能な近位端と、前記ブラシを交換可能に支持するようになった遠位端と、前記近位端から遠位端へと振動を伝達するべく両者を連結する細長い振動伝達部材、とを備え；前記振動伝達部材は、前記近位端から当該近位端とほぼ同軸的に延長する第１区間と、前記第１区間の前端（前後という表現は施術者を基準とする。以下同じ）から当該第１区間に対して第１の角度で斜め前上方に延長する第２区間、とで形成された湾曲部を備え；前記遠位端は前記第１区間と第２区間とを含む平面と同一の平面内にあるが、前記遠位端と第１区間とは第２区間の軸線に関して互いに反対方向に延長しており；
前記方法の特徴は、
前記湾曲部は前記振動伝達部材の曲げ加工によって形成し；
前記遠位端は、前記同一の平面内において前記第２区間の前端から第２区間の軸線に対して前記第１の角度より大きな第２の角度で外向きに延長するべく、かつ、第２区間の前端との間にアール（即ち、丸み）を介在させることなく第２区間の前端に直接に隣接するべく、ブラシホルダー形成用素材を切削加工することによって形成することからなる。
【００１１】
本発明の第１の利点は、曲げ加工とは異なり、切削加工によれば、素材に残留応力を殆ど生じさせること無く金属を加工することができるということである。従って、本発明に従いホルダーの遠位端を切削加工によって形成すれば、振動伝達部材からブラシ装着用遠位端に跨がる角部のところに曲げ加工の応力が残留することがないので、遠位端の付け根のところに振動の応力が集中したとしてもブラシホルダーが破折するおそれがない。
こうして、本発明によれば、破片が口腔内に飛散するおそれのない、対振動強度に優れたブラシホルダーが得られる。従って、本発明のブラシホルダーは、歯科衛生士等による口腔ケアを特に必要とする高齢者や障害者に対しても安心して使用することができる。
【００１２】
更に、従来技術の曲げ加工の場合とは異なり、ブラシホルダーの遠位端を切削加工により形成する場合には、遠位端（および振動伝達部材）の肉厚や太さに関する制約を受けないので、振動伝達部材からブラシ装着用遠位端に跨がる角部の肉厚を充分に大きくすることができ、ブラシホルダーの強度を増強し、角部の破折を防止することができる。
これは、また、振動発生装置で発生させた振動エネルギを制限することなくそのまま最大限にブラシホルダーに伝達することができるという利点に結びつく。従って、ハンドピースに振動を抑えるための流量制御弁などを設ける必要がなく、ハンドピースを簡素化することができる。
【００１３】
また、本発明によれば、ブラシホルダーの遠位端は切削加工によって形成するので、従来技術のように第２湾曲部を曲げ加工によって形成する場合とは異なり、材料に内部回路の閉塞や圧潰や割れが生じないようにしなければならないという塑性加工上の要請から第２湾曲部の曲率半径を大きくしなければならないという必要性がない。また、そもそも、遠位端の手前にアール（丸み）を設ける必要さえない。
従って、ブラシホルダーの遠位端は、振動伝達部材の第２区間に対して直角に近い角度で第２区間の端部から外向きに延長するべく配置することができる。その結果、第２区間の前端から遠位端に跨がる角部のアールを廃止することができ、ひいてはこの角部からブラシ先端までの長さを短くすることができるので、狭い口腔内でのブラシの操作性が向上し、ハンドピースの使い勝手が良くなる。
【００１４】
本発明の更に他の利点は、本発明によればブラシホルダーの遠位端は切削加工されるので、従来の曲げ加工の場合のようなスプリングバックのバラツキを伴わないということである。よって、遠位端の切削加工を数値制御することにより、製品の形状を精密に管理し、品質に優れたブラシホルダーを提供することができる。
【００１５】
好適な実施態様においては、遠位端の軸線が第２区間の軸線に対してなす前記第２の角度は７０°〜１１０°、好ましくは８５°〜９５°、より好ましくはほぼ９０°、である。
【００１６】
好ましくは、遠位端の切削加工は数値制御フライス盤を用いて行なう。
【００１７】
好ましい実施態様においては、ブラシホルダー形成用素材の前部はブラシホルダーの遠位端の外形を包摂する形状およびサイズを有する金属塊を備え、ブラシホルダーの遠位端はエンドミルやカッターを用いて金属塊を削り出すことによって形成される。
【００１８】
好ましくは、ブラシホルダーの近位端および振動伝達部材は、金属塊のフライス削りにより遠位端を形成した後に、ブラシホルダー形成用素材をその軸線を中心として回転させながら数値制御旋盤加工することにより形成することができる。
【００１９】
好ましくは、前記旋盤加工の後に、ブラシホルダー形成用素材の軸線に沿って近位端および振動伝達部材の全長にわたり洗浄水供給通路を形成すると共に、遠位端にブラシ装着用のネジ孔を形成する。これらの洗浄水供給通路とネジ孔とは互いに連通するように穿孔する。
【００２０】
具体的実施態様においては、湾曲部の曲げ加工は振動伝達部材に洗浄水供給通路を形成した後に行なう。
本発明の他の特徴や利点は以下の実施例の記載に従い明らかにする。
【図面の簡単な説明】
【００２１】
【図１】従来技術のブラシホルダーを歯科用振動式ハンドピースに取付けて歯を清掃するところを示す一部切欠き模式図である。
【図２】本発明のブラシホルダーを歯科用振動式ハンドピースに取付けるところを示す一部切欠き分解図である。
【図３】図２に示したブラシホルダーを切削加工によって形成する工程を示す斜視図である。
【発明を実施するための形態】
【００２２】
次に、図２および図３を参照しながら、本発明のブラシホルダー製造方法を説明する。
図２を参照するに、本発明に係るブラシホルダー１０は空気動式の振動発生装置１２を内蔵した歯科用振動式ハンドピース１４に装着して使用することができる。
図２に示した振動発生装置１２は米国特許4,453,919号に開示されたタイプの空気動式振動発生装置であることができる。この振動発生装置１２は本発明を構成しないので、同特許の開示はここに援用し、詳細な説明は省略する。
振動発生装置１２は、上記米国特許の図４に示されているように、円盤状の振動子を収容する振動室を画成するケーシングを備え、振動室内に圧縮空気を接線方向に吹き込むと旋回流によって励起された振動子が振動室の側壁を叩くことにより振動を発生するようになっている。
【００２３】
ハンドピース１４の後部には従来型の雌継手１６が形成してあり、歯科用ホース１８の前端に設けた雄継手２０を差し込んだ時に歯科用ユニット（図示せず）から振動発生装置１２に圧縮空気を供給すると共に、ブラシホルダー１０に洗浄水を供給するようになっている。
振動発生装置１２には出力軸２２が振動伝達関係で連結してあり、圧縮空気を供給することにより振動発生装置１２を作動させると、発生した振動が出力軸２２を介してブラシホルダー１０に伝播するようになっている。
振動発生装置１２の出力軸２２には、歯科用ホース１８の雄継手２０をハンドピース１４の雌継手１６に差し込んだ時に歯科用ユニットからブラシホルダー１０に洗浄水を供給するための内部通路２４が設けてある。
【００２４】
ブラシホルダー１０はステンレス鋼で形成してあり、近位端２６と、遠位端２８と、両者を連結する振動伝達部材３０とを備えている。
近位端２６の外周には雄ネジ部２６Ａが形成してあり、振動発生装置１２の出力軸２２の先端に形成した雌ネジ孔３２に近位端２６の雄ネジ部２６Ａを螺合することによりブラシホルダー１０を振動伝達関係で出力軸２２に連結するようになっている。
また、遠位端２８には、後述するブラシを交換自在に螺合するための雌ネジ孔３４が形成してある。
【００２５】
振動伝達部材３０は、近位端２６からほぼ同軸的に延長する第１区間３６と、第１区間３６の前端から斜め前上方に延長する第２区間３８、とで形成された“く”の字形の湾曲部４０を備えている。この湾曲部４０は従来のように曲げ加工によって形成してある。
【００２６】
ブラシホルダー１０の遠位端２８は、振動伝達部材３０の第２区間３８の軸線に対してほぼ直角に延長するべく第２区間３８の前端に隣接して第２区間３８と一体的に形成してある。
振動伝達部材３０の湾曲部４０が曲げ加工によって形成してあるのに対して、遠位端２８は後述するようにブラシホルダー形成用素材を切削加工することによって形成してあることを特徴としている。
図２から分かるように、遠位端２８は振動伝達部材３０の第１区間３６と第２区間３８とを含む平面と同一平面内にあるが、遠位端２８と第１区間３６とは第２区間３８の軸線に関して互い違いの向きに延長している。
【００２７】
ブラシホルダー１０には、その全長にわたって洗浄水供給通路４２が設けてあり、図示しない歯科用ユニットから送られる洗浄水をブラシ４６に供給するようになっている。
また、ブラシホルダー１０には、その近位端２６を振動発生装置１２の出力軸２２に螺合する際にレンチを掛けるための面取部４４が形成してある。
【００２８】
ブラシ４６は、従来同様に、歯を清掃し又は磨くための繊維束４８と、この繊維束４８を結束するためのステンレス鋼製の筒部５０と、この筒部５０と一体でブラシホルダー１０の遠位端２８に形成した雌ネジ孔３４に螺合する雄ネジ部５２を備えている。図示しないが、雄ネジ部５２には洗浄水供給通路４２から送られて来た洗浄水を繊維束４８に供給するための洗浄水供給通路が設けてある。
用途に応じて形状やサイズの異なる複数のブラシがセットで市販されており、施術者は処置に適した任意のブラシを選んでブラシホルダーに装着して使用することができる。
【００２９】
次に、図３を参照しながら、ブラシホルダー１０の製造工程の非限定的な実施例を説明する。
最初の素材として好ましくは長尺のステンレス鋼の丸棒５４を用いることができる。この丸棒５４をＸＹＺ軸を有する数値制御工作機械に保持し、丸棒５４の先端をブラシホルダー１個分の長さにわたって図３に示した形状に一次加工した後、Ｚ軸に垂直な切断面５６に沿ってブラシホルダー１個分の長さに切断して１つのビレット５８を得、夫々のビレットに後加工を施すことができる。
【００３０】
上記の一次加工においては、先ず、数値制御フライス盤のエンドミル等の回転切削工具を用いた切削加工によってブラシホルダー１０の遠位端２８を形成することができる。
この遠位端２８の切削加工においては、遠位端２８の最大径に等しいＺ軸方向厚さｔを有する短円柱形のブロック６０を長尺丸棒５４の先端に想定し、このブロック６０の垂直中心軸６２からＸ軸方向例えば左側（左右は近位端から遠位端を視たときの側を言う）に厚さｔ／２だけ離れたＸ軸に垂直な平面に沿って、軸線を水平かつＸ軸に垂直に保持したエンドミルの右端面をＹ軸に平行に変位させることにより遠位端２８の左側面を削り出し、同様にして、ブロック６０の垂直中心軸６２から例えばＸ軸方向右側に厚さｔ／２だけ離れたＸ軸に垂直な平面に沿ってエンドミルの左端面をＹ軸に平行に変位させることにより遠位端２８の右側面を削り出す。勿論、この左右の側面の削り出しの順序は問わない。
【００３１】
次には、同じく軸線を水平かつＸ軸に垂直に保持したエンドミルを、遠位端２８の上部輪郭、前部輪郭、および上部輪郭と前部輪郭との間のアールに沿って移動させながら、エンドミルの腹を用いて遠位端２８の上部輪郭、前部輪郭、および両者の間のアールを加工し、遠位端２８の半製品を形成することができる。
次いで、軸線を水平かつＸ軸に垂直に保持したアール付けカッター（コーナー・ラウンディング・カッター）を遠位端２８の中間製品の四隅に沿って、かつ、Ｙ軸およびＺ軸に平行に移動させながら遠位端２８の半製品のエッジに丸みを付ける。
【００３２】
こうして丸棒５４の先端のブロック６０から図３の左に示したような遠位端２８の半製品をフライス盤を用いて削り出すと、次に、Ｚ軸を中心として丸棒５４を回転させながら旋盤を用いて図３の残部に示したように近位端と振動伝達部材とが真っ直ぐに配置された中間品を削り出す。面取り４４はフライス盤により適当な段階で加工することができる。
【００３３】
こうして１個の中間品の一次加工が終わると、切断面５６に沿ってブラシホルダー１個分の長さに切断することにより図３に示した真っ直ぐなビレット５８を得、これを後加工に付す。
【００３４】
後加工においては、例えばボール盤を用いて、真っ直ぐなビレット５８の近位端および振動伝達部材の全長にわたって洗浄水供給通路４２（図２参照）を形成する。更に、遠位端２８にもボール盤を用いてブラシ４６の雄ネジ部５２を螺合するための雌ネジ孔３４（図２）を加工する。遠位端２８の雌ネジ孔３４と振動伝達部材の洗浄水供給通路４２とを、それらの間にいわゆる“アール”（丸み）を介在させることなく、それらが互いに直角に出会うように穿孔するだけで、雌ネジ孔３４と洗浄水供給通路４２とは互いに連通せられる。これは、本発明に従い、遠位端２８と第２区間３８の前端との間にアール（丸み）を介在させることなく、遠位端２８が第２区間３８の前端に直接に隣接するべく、遠位端２８を切削加工することにより可能になるのである。その結果、図１に示した従来技術のブラシホルダーにおける距離Ｌを第２湾曲部８Ｂのアールの長さ（第２湾曲部８Ｂの頂点と遠位端６の始点との間の距離に相当する遠位端軸線方向長さ）だけ短縮することができ、これは狭い口腔内でのブラシの操作性を向上させることに寄与する。
【００３５】
こうして図３に示したブラシホルダー１０の中間製品が得られると、曲げ加工機を用いて図２に示した湾曲部４０を形成し、必要に応じて更に仕上げ加工を施す。
【００３６】
以上には本発明の特定の実施例を記載したが、本発明はこれに限定されるものではなく、種々の修正や変更を施すことができる。特に、遠位端の削り出しの順序は適宜変更することができる。本発明のブラシホルダーは、他の形式の空気動式振動発生装置や電動式の振動発生装置を備えたハンドピースに装着して使用することができることは言うまでもない。
【符号の説明】
【００３７】
１０：  ブラシホルダー
１２：  振動発生装置
１４：  歯科用振動式ハンドピース
２２：  振動発生装置の出力軸
２６：  ブラシホルダーの近位端
２８：  ブラシホルダーの遠位端
３０：  振動伝達部材
３６：  振動伝達部材の第１区間
３８：  振動伝達部材の第２区間
４０：  湾曲部
４６：  ブラシ
５４：  丸棒（ブラシホルダー形成用素材）
６０：  ブラシホルダー形成用素材のブロック
特許出願人  株式会社ミクロン
代理人  弁理士  伊藤  宏
【図１】
0006349526.tif 000002
【図２】
0006349526.tif 000003
【図３】
0006349526.tif 000004